【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
ガス混合チャンバを画定する内壁と、外壁と、前記内壁と前記外壁との間に配置される流体空洞とを有する、カップと、
前記流体空洞と流体連通している流体管腔と、前記混合チャンバと流体連通している呼吸ガス入口管腔とを有する、入口ポートと、
呼吸ガス出口管腔を有する、出口と、
前記混合チャンバと流体連通し、前記カップの前記内壁から前記外壁まで通過する排出管腔を有する、排出ポートと、
を備える、噴霧器アダプタ。
【請求項２】
前記流体管腔は、前記呼吸ガス入口管腔と同心状である、請求項１に記載の噴霧器アダプタ。
【請求項３】
前記排出ポートは、蒸発分散システムと流体連通している、請求項１または２に記載の噴霧器アダプタ。
【請求項４】
前記蒸発分散システムは、フレームと、前記フレームを覆うウィッキング層と、ウィッキング材料を覆う半透過性静菌性層とを備える、請求項３に記載の噴霧器アダプタ。
【請求項５】
送達管は、前記入口ポートに接続され、前記蒸発分散システムは、前記排出ポートの近位の第１の領域から前記排出ポートの遠位の第２の領域に向かって凝縮物を吸い上げるように構成される前記送達管の長さに沿って、前記送達管の外面上で支持される、請求項３または４に記載の噴霧器アダプタ。
【請求項６】
前記ウィッキング層は、不水溶性生体適合性材料である、請求項４または５に記載の噴霧器アダプタ。
【請求項７】
前記ウィッキング層は、炭化水素である、請求項４または５に記載の噴霧器アダプタ。
【請求項８】
前記排出ポートは、凝縮トラップと流体連通している、請求項１に記載の噴霧器アダプタ。
【請求項９】
前記排出ポートは、０．５ミクロン未満の平均細孔径を有するガラスフィルタに接続され、前記ガラスフィルタは、吸収性パッドに接続される、請求項１に記載の噴霧器アダプタ。
【請求項１０】
前記噴霧器が前記カップに取り付けられていないときに、前記混合チャンバを実質的に閉塞するように構成される栓をさらに備える、請求項１〜９のいずれかに記載の噴霧器アダプタ。
【請求項１１】
前記噴霧器が前記カップに取り付けられていないときに、前記混合チャンバを実質的に閉塞するように構成される膨張可能なバルーンをさらに備える、請求項１〜９のいずれかに記載の噴霧器アダプタ。
【請求項１２】
前記入口ポートの前記流体管腔は、流体を前記カップに運搬するための流入通路および前記カップから流体を運び出すための流出通路を分離するための仕切りを備える、請求項１〜１１のいずれかに記載の噴霧器アダプタ。
【請求項１３】
前記出口ポートは、鼻カニューレに接続するように構成される、請求項１〜１２のいずれかに記載の噴霧器アダプタ。
【請求項１４】
前記流出ポートは、前記流体空洞と流体連通している流出流体管腔と、前記混合チャンバと流体連通している流出呼吸ガス管腔とを含む、請求項１〜１３のいずれかに記載の噴霧器アダプタ。
【請求項１５】
前記流出流体管腔は、前記流出呼吸ガス管腔と同心状である、請求項１４に記載の噴霧器アダプタ。
【請求項１６】
加熱および加湿された呼吸ガスと組み合わせられた噴霧薬剤を送達するためのシステムであって、前記システムは、
薬剤を含む噴霧器と、
混合チャンバと、前記混合チャンバを取り囲む流体空洞とを有する噴霧器アダプタと
を備え、
前記噴霧器は、前記噴霧器アダプタに連結され、
前記流体空洞は、前記混合チャンバを加熱するように、前記流体空洞を通して、加熱された流体が通過することを可能にし、
前記噴霧器は、前記薬剤を噴霧化し、前記噴霧化された薬剤を前記混合チャンバの中へ伝送し、
前記混合チャンバは、前記混合チャンバを通して出口ポートの外へ加熱および加湿された呼吸ガスが通過することを可能にし、
前記混合チャンバは、前記混合チャンバから排出ポートを通して凝縮物が通過することを可能にする、システム。
【請求項１７】
前記凝縮物は、蒸発分散システムの中へ通過させられる、請求項１６に記載のシステム。
【請求項１８】
前記凝縮物は、凝縮物トラップの中へ通過させられる、請求項１６に記載のシステム。
【請求項１９】
前記凝縮物は、ガラスフィルタを通して吸収性パッドの中へ通過させられる、請求項１６に記載のシステム。
【請求項２０】
前記噴霧器は、前記噴霧器アダプタから除去可能であり、
前記システムは、前記混合チャンバの大部分を充填するように前記噴霧器アダプタに挿入される栓をさらに備える、請求項１６〜１９のいずれかに記載のシステム。
【請求項２１】
前記噴霧器は、前記噴霧器アダプタから除去可能であり、
前記システムは、前記混合チャンバの大部分を充填するように膨張可能なバルーンをさらに備える、請求項１６〜１９のいずれかに記載のシステム。
【請求項２２】
前記流体空洞は、前記流体空洞の中で前記流体が循環することを可能にする、請求項１６〜２１のいずれかに記載のシステム。
【請求項２３】
前記出口ポートは、鼻カニューレに接続される、請求項１６〜２２のいずれかに記載のシステム。
【請求項２４】
噴霧器を解放可能に受容し、加熱および加湿された呼吸ガスを噴霧化された薬剤と混合するための混合手段と、流体を使用して前記混合手段を加熱するための加熱手段とを有するための手段と、
流体を前記加熱手段に送達するための手段と、
加熱および加湿された呼吸ガスを前記混合手段に送達するための手段と、
前記混合手段から混合ガスを通過させるための手段と、
前記混合手段から凝縮物を排出するための手段と、
を備える、噴霧器アダプタ。
【請求項２５】
前記流体を前記加熱手段に流体的に接続するための手段は、加熱および加湿された呼吸ガスを前記混合手段に送達するための前記手段と同心状である、請求項２４に記載の噴霧器アダプタ。
【請求項２６】
蒸発分散システムの中へ前記凝縮物を通過させるための手段をさらに備える、請求項２４または２５に記載の噴霧器アダプタ。
【請求項２７】
凝縮物トラップの中へ前記凝縮物を通過させるための手段をさらに備える、請求項２４または２５に記載の噴霧器アダプタ。
【請求項２８】
ガラスフィルタを通して吸収性パッドの中へ前記凝縮物を通過させるための手段をさらに備える、請求項２４または２５に記載の噴霧器アダプタ。
【請求項２９】
前記混合チャンバの大部分を充填するように、前記噴霧器アダプタを塞ぐための手段をさらに備える、請求項２４〜２８のいずれかに記載の噴霧器アダプタ。
【請求項３０】
前記混合チャンバの大部分を充填するように、バルーンを膨張させるための手段をさらに備える、請求項２４〜２８のいずれかに記載の噴霧器アダプタ。
【請求項３１】
前記流体空洞の中で前記流体を循環させるための手段をさらに備える、請求項２４〜３０のいずれかに記載の噴霧器アダプタ。
【請求項３２】
前記混合手段から混合ガスを通過させるための前記手段に鼻カニューレを接続するための手段をさらに備える、請求項２４〜３１のいずれかに記載の噴霧器アダプタ。
【手続補正２】
【補正対象書類名】明細書
【補正対象項目名】００１７
【補正方法】変更
【補正の内容】
【００１７】
変形例および修正が、本開示を精査した後に当業者に想起されるであろう。開示される特徴は、本明細書に説明される１つまたはそれを上回る他の特徴との任意の組み合わせおよび副次的組み合わせ（複数の従属組み合わせおよび副次的組み合わせを含む）で、実装されてもよい。それらの任意の構成要素を含む、上記で説明または示される種々の特徴は、他のシステムで組み合わせられ、もしくは統合されてもよい。また、ある特徴は、省略されてもよく、または実装されなくてもよい。
本発明は、例えば、以下を提供する。
（項目１）
ガス混合チャンバを画定する内壁と、外壁と、前記内壁と前記外壁との間に配置される流体空洞とを有する、カップと、
前記流体空洞と流体連通している流体管腔と、前記混合チャンバと流体連通している呼吸ガス入口管腔とを有する、入口ポートと、
呼吸ガス出口管腔を有する、出口と、
前記混合チャンバと流体連通し、前記カップの前記内壁から前記外壁まで通過する排出管腔を有する、排出ポートと、
を備える、噴霧器アダプタ。
（項目２）
前記流体管腔は、前記呼吸ガス入口管腔と同心状である、項目１に記載の噴霧器アダプタ。
（項目３）
前記排出ポートは、蒸発分散システムと流体連通している、項目１または２に記載の噴霧器アダプタ。
（項目４）
前記蒸発分散システムは、フレームと、前記フレームを覆うウィッキング層と、ウィッキング材料を覆う半透過性静菌性層とを備える、項目３に記載の噴霧器アダプタ。
（項目５）
送達管は、前記入口ポートに接続され、前記蒸発分散システムは、前記排出ポートの近位の第１の領域から前記排出ポートの遠位の第２の領域に向かって凝縮物を吸い上げるように構成される前記送達管の長さに沿って、前記送達管の外面上で支持される、項目３または４に記載の噴霧器アダプタ。
（項目６）
前記ウィッキング層は、不水溶性生体適合性材料である、項目４または５に記載の噴霧器アダプタ。
（項目７）
前記ウィッキング層は、炭化水素である、項目４または５に記載の噴霧器アダプタ。
（項目８）
前記排出ポートは、凝縮トラップと流体連通している、項目１に記載の噴霧器アダプタ。
（項目９）
前記排出ポートは、０．５ミクロン未満の平均細孔径を有するガラスフィルタに接続され、前記ガラスフィルタは、吸収性パッドに接続される、項目１に記載の噴霧器アダプタ。
（項目１０）
前記噴霧器が前記カップに取り付けられていないときに、前記混合チャンバを実質的に閉塞するように構成される栓をさらに備える、項目１〜９のいずれかに記載の噴霧器アダプタ。
（項目１１）
前記噴霧器が前記カップに取り付けられていないときに、前記混合チャンバを実質的に閉塞するように構成される膨張可能なバルーンをさらに備える、項目１〜９のいずれかに記載の噴霧器アダプタ。
（項目１２）
前記入口ポートの前記流体管腔は、流体を前記カップに運搬するための流入通路および前記カップから流体を運び出すための流出通路を分離するための仕切りを備える、項目１〜１１のいずれかに記載の噴霧器アダプタ。
（項目１３）
前記出口ポートは、鼻カニューレに接続するように構成される、項目１〜１２のいずれかに記載の噴霧器アダプタ。
（項目１４）
前記流出ポートは、前記流体空洞と流体連通している流出流体管腔と、前記混合チャンバと流体連通している流出呼吸ガス管腔とを含む、項目１〜１３のいずれかに記載の噴霧器アダプタ。
（項目１５）
前記流出流体管腔は、前記流出呼吸ガス管腔と同心状である、項目１４に記載の噴霧器アダプタ。
（項目１６）
加熱および加湿された呼吸ガスと組み合わせられた噴霧薬剤を送達するための方法であって、
薬剤を含む噴霧器を、混合チャンバと、前記混合チャンバを取り囲む流体空洞とを有する、噴霧器アダプタに連結するステップと、
前記混合チャンバを加熱するように、前記噴霧器アダプタの前記流体空洞に加熱された流体を通過させるステップと、
前記薬剤を噴霧化し、前記噴霧化された薬剤を前記混合チャンバの中へ伝送するステップと、
前記混合チャンバを通して出口ポートから加熱および加湿された呼吸ガスを通過させるステップと、
前記混合チャンバから排出ポートを通じて凝縮物を通過させるステップと、
を含む、方法。
（項目１７）
前記蒸発分散システムの中へ前記凝縮物を通過させるステップをさらに含む、項目１６に記載の方法。
（項目１８）
凝縮物トラップの中へ前記凝縮物を通過させるステップをさらに含む、項目１６に記載の方法。
（項目１９）
ガラスフィルタを通して吸収性パッドの中へ前記凝縮物を通過させるステップをさらに含む、項目１６に記載の方法。
（項目２０）
前記噴霧器アダプタから前記噴霧器を除去するステップと、
前記混合チャンバの大部分を充填するように、栓を前記噴霧器アダプタに挿入するステップと、
をさらに含む、項目１６〜１９のいずれかに記載の方法。
（項目２１）
前記噴霧器アダプタから前記噴霧器を除去するステップと、
前記混合チャンバの大部分を充填するように、バルーンを膨張させるステップと、
をさらに含む、項目１６〜１９のいずれかに記載の方法。
（項目２２）
前記流体空洞の中で前記流体を循環させるステップをさらに含む、項目１６〜２１のいずれかに記載の方法。
（項目２３）
前記出口ポートを鼻カニューレに接続するステップをさらに含む、項目１６〜２２のいずれかに記載の方法。
（項目２４）
噴霧器を解放可能に受容し、加熱および加湿された呼吸ガスを噴霧化された薬剤と混合するための混合手段と、流体を使用して前記混合手段を加熱するための加熱手段とを有するための手段と、
流体を前記加熱手段に送達するための手段と、
加熱および加湿された呼吸ガスを前記混合手段に送達するための手段と、
前記混合手段から混合ガスを通過させるための手段と、
前記混合手段から凝縮物を排出するための手段と、
を備える、噴霧器アダプタ。
（項目２５）
前記流体を前記加熱手段に流体的に接続するための手段は、加熱および加湿された呼吸ガスを前記混合手段に送達するための前記手段と同心状である、項目２４に記載の噴霧器アダプタ。
（項目２６）
蒸発分散システムの中へ前記凝縮物を通過させるための手段をさらに備える、項目２４または２５に記載の噴霧器アダプタ。
（項目２７）
凝縮物トラップの中へ前記凝縮物を通過させるための手段をさらに備える、項目２４または２５に記載の噴霧器アダプタ。
（項目２８）
ガラスフィルタを通して吸収性パッドの中へ前記凝縮物を通過させるための手段をさらに備える、項目２４または２５に記載の噴霧器アダプタ。
（項目２９）
前記混合チャンバの大部分を充填するように、前記噴霧器アダプタを塞ぐための手段をさらに備える、項目２４〜２８のいずれかに記載の噴霧器アダプタ。
（項目３０）
前記混合チャンバの大部分を充填するように、バルーンを膨張させるための手段をさらに備える、項目２４〜２８のいずれかに記載の噴霧器アダプタ。
（項目３１）
前記流体空洞の中で前記流体を循環させるための手段をさらに備える、項目２４〜３０のいずれかに記載の噴霧器アダプタ。
（項目３２）
前記混合手段から混合ガスを通過させるための前記手段に鼻カニューレを接続するための手段をさらに備える、項目２４〜３１のいずれかに記載の噴霧器アダプタ。